【手続補正書】
【提出日】平成29年6月14日(2017.6.14)
【手続補正１】
【補正対象書類名】特許請求の範囲
【補正対象項目名】全文
【補正方法】変更
【補正の内容】
【特許請求の範囲】
【請求項１】
冷媒を圧縮して吐出する圧縮機（１３）と、
冷媒を減圧する減圧部（１７，１８）と、
冷媒と外気とを熱交換させる室外器（１６）と、
冷媒を蒸発させる蒸発器（１５）と、
冷媒を凝縮させる凝縮器（１４）と、
高圧の冷媒が流れる高圧流路（２０ａ）と低圧の冷媒が流れる低圧流路（２０ｂ）とを有し、前記高圧流路と前記低圧流路とを流れる冷媒間で熱交換させる内部熱交換器（２０）と、
冷媒をガス冷媒と液冷媒とに分離するアキュムレータ（１９）と、
冷媒が流れる経路を変更する流路変更部（２１〜２３，２５）と、を含み、
前記流路変更部は、
前記圧縮機、前記室外器、前記内部熱交換器の前記高圧流路、前記減圧部、前記蒸発器、前記アキュムレータ、前記内部熱交換器の前記低圧流路、前記圧縮機の順で冷媒が循環する冷房経路と、
前記圧縮機、前記凝縮器、前記内部熱交換器の前記高圧流路、前記減圧部、前記室外器、前記アキュムレータ、前記内部熱交換器の前記低圧流路、前記圧縮機の順で冷媒が循環する暖房経路と、を変更し、
前記アキュムレータは、分離したガス冷媒を流出させるガス冷媒流路（１９ａ）と、分離した液冷媒を流出させる液冷媒流路（１９ｂ）と、を備え、
前記ガス冷媒流路および前記液冷媒流路のうち少なくとも前記液冷媒流路は、前記内部熱交換器の前記低圧流路に接続されており、
前記冷房経路は、前記圧縮機、前記室外器、前記凝縮器、前記内部熱交換器の前記高圧流路、前記減圧部、前記蒸発器、前記アキュムレータ、前記内部熱交換器の前記低圧流路、前記圧縮機の順で冷媒が循環することを特徴とするヒートポンプシステム。
【請求項２】
前記アキュムレータから前記内部熱交換器への液冷媒の流量を調整する流量調整部（２４，１２４，２４３）をさらに含むことを特徴とする請求項１に記載のヒートポンプシステム。
【請求項３】
前記液冷媒流路は、前記内部熱交換器の前記低圧流路に接続され、
前記ガス冷媒流路は、前記内部熱交換器の前記低圧流路の下流側に接続されることを特徴とする請求項１または２に記載のヒートポンプシステム。
【請求項４】
冷媒を圧縮して吐出する圧縮機（１３）と、
冷媒を減圧する減圧部（１７，１８）と、
冷媒と外気とを熱交換させる室外器（１６）と、
冷媒を蒸発させる蒸発器（１５）と、
冷媒を凝縮させる凝縮器（１４）と、
高圧の冷媒が流れる高圧流路（２０ａ）と低圧の冷媒が流れる低圧流路（２０ｂ）とを有し、前記高圧流路と前記低圧流路とを流れる冷媒間で熱交換させる内部熱交換器（２０）と、
冷媒をガス冷媒と液冷媒とに分離するアキュムレータ（１９）と、
冷媒が流れる経路を変更する流路変更部（２１〜２３，２５）と、を含み、
前記流路変更部は、
前記圧縮機、前記室外器、前記内部熱交換器の前記高圧流路、前記減圧部、前記蒸発器、前記アキュムレータ、前記内部熱交換器の前記低圧流路、前記圧縮機の順で冷媒が循環する冷房経路と、
前記圧縮機、前記凝縮器、前記内部熱交換器の前記高圧流路、前記減圧部、前記室外器、前記アキュムレータ、前記内部熱交換器の前記低圧流路、前記圧縮機の順で冷媒が循環する暖房経路と、を変更し、
前記アキュムレータは、分離したガス冷媒を流出させるガス冷媒流路（１９ａ）と、分離した液冷媒を流出させる液冷媒流路（１９ｂ）と、を備え、
前記ガス冷媒流路および前記液冷媒流路のうち少なくとも前記液冷媒流路は、前記内部熱交換器の前記低圧流路に接続されており、
前記流路変更部は、
前記圧縮機、前記室外器、前記内部熱交換器の前記高圧流路、前記減圧部、前記蒸発器、前記アキュムレータ、前記内部熱交換器の前記低圧流路、前記圧縮機の順で冷媒が循環する冷房経路と、
前記圧縮機、前記凝縮器、前記内部熱交換器の前記高圧流路、前記減圧部、前記室外器、前記アキュムレータ、前記内部熱交換器の前記低圧流路、前記圧縮機の順で冷媒が循環する第１暖房経路と、
前記圧縮機、前記凝縮器、前記蒸発器、前記アキュムレータ、前記内部熱交換器の前記低圧流路、前記圧縮機の順で冷媒が循環する第２暖房経路と、
前記圧縮機、前記凝縮器、前記内部熱交換器の前記高圧流路、前記減圧部、前記室外器、前記アキュムレータ、前記内部熱交換器の前記低圧流路、前記圧縮機の順で冷媒が循環しつつ、前記凝縮器の下流で分岐して前記高圧流路ではなく前記蒸発器を経て前記アキュムレータに流れる経路を含む第１除湿暖房経路と、
前記圧縮機、前記室外器、前記内部熱交換器の前記高圧流路、前記減圧部、前記蒸発器、前記アキュムレータ、前記内部熱交換器の前記低圧流路、前記圧縮機の順で冷媒が循環しつつ、前記圧縮機の下流で分岐して前記室外器ではなく前記凝縮器を経て前記蒸発器に流れる経路を含む第２除湿暖房経路と、
前記圧縮機、前記室外器、前記内部熱交換器の前記高圧流路、前記凝縮器、前記アキュムレータ、前記内部熱交換器の前記低圧流路、前記圧縮機の順で冷媒が循環する除霜経路と、を変更することを特徴とするヒートポンプシステム。
【請求項５】
冷媒を圧縮して吐出する圧縮機（１３）と、
冷媒を減圧する減圧部（１７，１８）と、
冷媒と外気とを熱交換させる室外器（１６）と、
冷媒を蒸発させる蒸発器（１５）と、
冷媒を凝縮させる凝縮器（１４）と、
冷媒をガス冷媒と液冷媒とに分離するアキュムレータ（１９）と、
冷媒が流れる経路を変更する流路変更部（２１〜２３，２５）と、を含み、
前記流路変更部は、
前記圧縮機、前記室外器、前記減圧部、前記蒸発器、前記アキュムレータ、前記圧縮機で冷媒が循環する冷房経路と、
前記圧縮機、前記凝縮器、前記減圧部、前記室外器、前記アキュムレータ、前記圧縮機の順で冷媒が循環する暖房経路と、
前記圧縮機、前記室外器、前記凝縮器、前記アキュムレータ、前記圧縮機の順で冷媒が循環する除霜経路と、を変更することを特徴とするヒートポンプシステム。
【請求項６】
前記圧縮機の吐出量、前記流路変更部による経路を制御する制御部（２６）をさらに含み、
前記制御部は、前記除霜経路による冷媒の循環および循環停止を、前記圧縮機の吸入側の冷媒圧力および外気温を用いて判断することを特徴とする請求項５に記載のヒートポンプシステム。
【請求項７】
前記室外器は、冷媒が通過する上方口（７１）と、前記上方口よりも下方に位置し冷媒が通過する下方口（７２）とを備え、
前記冷房経路のときは、前記上方口から冷媒が流入し、
前記暖房経路のときは、前記下方口から冷媒が流入することを特徴とする請求項１〜６のいずれか１つに記載のヒートポンプシステム。
【請求項８】
前記室外器は、上部のタンク（７３）と、下部のタンク（７４）と、コア部（７５）と、を含むダウンフロータイプであり、
前記上部のタンクに設けられ、冷媒が通過する上方口（７１）と、
前記下部のタンクに設けられ、冷媒が通過する下方口（７２）とを備え、
前記冷房経路のときは、前記上方口から冷媒が流入し、前記下方口から冷媒が流出し、  前記暖房経路のときは、前記下方口から冷媒が流入し、前記上方口から冷媒が流出することを特徴とする請求項１〜６のいずれか１つに記載のヒートポンプシステム。
【請求項９】
前記流量調整部を制御する制御部（２６）をさらに含み、
前記制御部は、前記暖房経路のとき、前記圧縮機に吸入する前の冷媒物性から過熱度を推定し、前記過熱度が所定の目標値に近づくよう前記流量調整部を制御することを特徴とする請求項２に記載のヒートポンプシステム。
【手続補正２】
【補正対象書類名】明細書
【補正対象項目名】０００９
【補正方法】変更
【補正の内容】
【０００９】
開示された技術の一つは、冷媒が流れる経路を変更する流路変更部（２１〜２３，２５）を含み、流路変更部は、圧縮機（１３）、室外器（１６）、凝縮器（１４）、内部熱交換器（２０）の高圧流路（２０ａ）、減圧部（１７，１８）、蒸発器（１５）、アキュムレータ（１９）、内部熱交換器の低圧流路、圧縮機の順で冷媒が循環する冷房経路と、圧縮機、凝縮器、内部熱交換器の高圧流路、減圧部、室外器、アキュムレータ、内部熱交換器の低圧流路、圧縮機の順で冷媒が循環する暖房経路と、を変更することを特徴とするヒートポンプシステムである。また、アキュムレータ（１９）は、分離したガス冷媒を流出させるガス冷媒流路（１９ａ）と、分離した液冷媒を流出させる液冷媒流路（１９ｂ）と、を備え、ガス冷媒流路および液冷媒流路のうち少なくとも液冷媒流路は、内部熱交換器（２０）の低圧流路（２０ｂ）に接続されていることを特徴とするヒートポンプシステムである。
【手続補正３】
【補正対象書類名】明細書
【補正対象項目名】００１４
【補正方法】削除
【補正の内容】